(57)【要約】【課題】多数の供給源から、患者に植え込まれた連絡部材までエネルギーを運び、かつ／もしくは発生させる、様々な電力供給装置を提供する。【解決手段】連絡部材まで運ばれるか、または連絡部材により発生されるエネルギーは、経路に制限部を形成するように構成された植え込み可能な制限システムに電力を供給するために用いられうる。【選択図】図２
2009183711.tif 000002
【特許請求の範囲】
【請求項１】
患者に制限部を形成するシステムにおいて、
患者に制限部を形成するように構成された植え込み可能な制限装置であって、前記植え込み可能な制限装置は、光波を受け取るように、かつ前記光波を、前記植え込み可能な制限装置に電力を供給するエネルギーに転換するように、構成された、連絡部材を含む、植え込み可能な制限装置、
を含む、システム。
【請求項２】
請求項１に記載のシステムにおいて、
前記光波を前記連絡部材に伝えるように動作可能な光源を有する、外部エネルギー移送器具、
をさらに含む、システム。
【請求項３】
請求項２に記載のシステムにおいて、
前記外部エネルギー移送器具は、計器であって、前記光源と、前記植え込み可能な制限装置に電力を供給するのに効果的な前記連絡部材と、の間で前記光波が伝えられているかどうかを示すのに効果的である、計器を含む、システム。
【請求項４】
請求項１に記載のシステムにおいて、
前記連絡部材は、光起電性電池配列、もしくはシリコンナノワイヤの束を含む、システム。
【請求項５】
請求項１に記載のシステムにおいて、
前記連絡部材は、結晶性シリコーン電池配列を含む、システム。
【請求項６】
請求項２に記載のシステムにおいて、
前記光源は、約０．７５μｍ〜１，０００μｍの範囲の赤外線光波、約４００ｎｍ〜７５０ｎｍの範囲の可視光波、および約２８０ｎｍ〜４００ｎｍの範囲の紫外線光波から成る群から選択される光を放射する、システム。
【請求項７】
請求項１に記載のシステムにおいて、
前記植え込み可能な制限装置は、胃バンド、および前記胃バンドと連絡しているハウジングを含む、システム。
【請求項８】
請求項７に記載のシステムにおいて、
前記連絡部材は、前記ハウジングの中に配されている、システム。
【請求項９】
請求項１に記載のシステムにおいて、
前記連絡部材は、データを受信および送信するように構成されている、システム。
【請求項１０】
植え込み可能な制限装置に電力を供給する方法において、
経路に制限部を形成するように患者に植え込まれた植え込み可能な制限装置の内部に配された連絡部材まで、組織を通して光を運ぶように光源を作動させることであって、前記連絡部材は、前記植え込み可能な制限装置に電力を供給するために前記光を電力もしくはエネルギーに転換する、光源を作動させること、
を含む、方法。
【発明の詳細な説明】
【開示の内容】
【０００１】
〔発明の分野〕
本発明は、植え込み可能な制限システムに電力を供給する方法および装置に関する。
【０００２】
〔発明の背景〕
肥満の人数が増え続け、肥満の健康への悪影響について多くのことが知られるにつれて、肥満は、特に米国では、大きな懸念となってきている。人の理想体重を４５．３６ｋｇ（１００ポンド）以上超える病的肥満は、特に、重篤な健康問題に対する著しいリスクを引き起こす。したがって、肥満患者の治療に大きな注目が集められている。病的肥満を治療する１方法は、細長いバンドなどの制限装置を胃の上方部分の周りに置くことであった。胃バンドは、典型的には、固定された端点を備えた、流体が充填されたエラストマーバルーンを含んでおり、バルーンは、食道‐胃接合部の真下で胃を取り囲み、バンドより上の小さな胃嚢（small gastric pouch）および胃の中の縮小された瘻開口部（reduced stoma opening）を形成する。流体がバルーン内に注入されると、バンドは、胃に対して拡張して、食物摂取量制限部もしくは瘻を胃の中に作り出す。この制限部を縮小するために、流体はバンドから除去される。バンドの効果は、利用可能な胃の容積、ゆえに、「満腹（full）」になる前に消費されうる食物の量を減らすことである。
【０００３】
食物制限装置はまた、胃の上方部分を同様に取り囲む、機械的に調節されたバンドを含んでいる。これらのバンドは、バンドを調節するための、任意の数の弾性材料もしくは伝動装置（gearing devices）、ならびに駆動部材を含む。加えて、水圧式駆動要素および機械的駆動要素の双方を含む胃バンドが開発されてきた。膨張式エラストマーバルーンを胃腔自体の中に植え込むことにより、胃腔内の利用可能な食物容積を制限することも知られている。バルーンは、流体で満たされて胃壁に対して拡張し、それによって、胃内部の利用可能な食物容積を減らす。
【０００４】
前述の食物制限装置のそれぞれでは、安全で効果的な治療には、胃に加えられた制限の程度を変えるために装置が定期的に監視され、調節されることが必要とされる。伝統的には、胃バンドの調節には、計画的な臨床医への訪問が必要とされ、その訪問の間に、フーバー針および注射器が用いられて患者の皮膚を貫き、注入ポートを通して流体を加えるか、またはバルーンから流体を除去した。より最近では、バンドの非侵襲的調節を可能にする、植え込み可能なポンプが開発された。外部プログラマーが、遠隔測定法を用いて、植え込まれたポンプと連絡してポンプを制御する。計画的な訪問の間に、医師は、胃のインプラント近くにプログラマーのハンドヘルド部分を置き、インプラントに命令信号を送る。インプラントは、次に、バンドを調節し、プログラマーに応答命令を送る。
【０００５】
前述したもののようなインプラントは、胃バンドに対して調節を行うなどの意図された機能に十分な電源を必要とする電子機器を含む。このような装置は、バッテリもしくはコンデンサーにより内部で電力供給されることができ、一方、他のものは、外部に連結された電源もしくは受動遠隔測定システムにより電力供給されることができる。外部で連結される場合、インプラントと外部装置との間の距離が増えるにつれて、インプラントと外部装置との間の効率が著しく減少する。組織を通して著しい電力損失もありうる。
【０００６】
したがって、外部および／もしくは非侵襲性技法を用いることにより、植え込まれた電子機器に、組織を通して効果的に充電する方法および装置に対する必要性がある。患者が、計画的な臨床医への訪問のために移動する必要なく、インプラントを再充電することができることもまた有利であろう。
【０００７】
〔発明の概要〕
本発明は、植え込み可能な制限システムに電力を供給する方法および装置を提供する。例示的な一実施形態では、患者に制限部を形成するシステムが提供され、このシステムは、患者の体内の経路に制限部を形成するように構成された、植え込み可能な制限装置を含む。例えば、植え込み可能な制限装置は、胃バンドと、胃バンドと連絡しているハウジングと、を含むことができる。植え込み可能な制限装置は、この植え込み可能な制限装置に電力を供給する連絡部材も含むことができる。このシステムは、外部器具をさらに含むことができ、外部器具は、電力および／もしくはデータ信号を連絡部材に送ることによって、かつ／またはデータ信号を連絡部材から受信することによって、連絡部材と連絡するように動作可能である。連絡部材は、データ信号を外部装置に送るように構成されることもできる。外部器具は、オプションとして、この外部器具が連絡部材と有効に連絡しているかどうかを示すのに効果的な計器を含んでもよい。
【０００８】
一実施形態では、連絡部材は、光波をエネルギーに転換するように構成されてよく、外部器具は、連絡部材に光を伝えるように動作可能な光源を有する、エネルギー移送器具であってよい。エネルギー移送器具は、計器であって、光源と、植え込み可能な制限装置に電力を供給するか、またはデータを伝えるのに効果的な連絡部材と、の間で光波が伝えられているかどうかを示すのに効果的な、計器を含むことができる。ある実施形態では、連絡部材は、光起電性電池配列（photovoltaic cell array）、シリコンナノワイヤの束（silicon nanowire bundle）、または結晶性シリコーン電池配列であってよく、光源は、約０．７０μｍ〜１，０００μｍの範囲の赤外線光波を放射することができる。代わりに、光源は、約４００ｎｍ〜１，０００ｎｍの範囲の可視光波、または、約２８０ｎｍ〜４００ｎｍの範囲の紫外線光波を放射することができる。
【０００９】
別の実施形態では、連絡部材は、植え込み可能な制限装置に電力を供給するために温度差動（temperature differential）を用いるように構成されてよく、エネルギー移送器具は、植え込み可能な制限装置に電力を供給するために連絡部材の全域で温度差動を作り出すよう動作可能な温度供給源（temperature source）を有してよい。例示的な実施形態では、連絡部材は、サーモジェネレーターである。温度供給源は、例えば、氷、熱電冷却器、加熱源（heating source）、および血管であってよい。連絡部材は、植え込み可能な制限装置に電力を供給するためのエネルギーを生じさせるために、温度供給源と解剖学的基準温度との間の温度差動を用いるように構成されうる。別の実施形態では、計器は、温度供給源と、植え込み可能な制限装置に電力を供給するのに効果的な連絡部材と、の間に、温度差動が存在するかどうかを示すのに効果的であることができる。
【００１０】
別の実施形態では、連絡部材は、植え込み可能な制限装置に電力を供給するために運動をエネルギーに転換するように動作可能な動的運動器具（kinetic motion apparatus）を有することができる。動的運動器具は、ハウジング、ハウジング内に配された磁石、およびハウジングの周りに配されたワイヤコイルを含むことができる。ワイヤコイルは、植え込み可能な制限装置と電気的に連絡していてよく、磁石は、植え込み可能な制限装置に電力を供給するための電気エネルギーを作り出すためにワイヤコイルに対して動くように構成されてよい。動的運動器具は、磁石の動きにより生じる電気エネルギーを蓄積するための蓄積装置（storage device）をさらに含むことができる。システムは、外部装置も含むことができ、外部装置は、植え込み可能な制限装置に電力を供給するのに効果的な動的運動器具における対応する発振、振動、もしくは他の運動を生じさせるように構成された、ドライバを含んでもよい。代わりに、外部発振電磁石が、ハウジング内部に配された磁石における、共振する発振（sympathetic oscillations）を含んでもよい。別の実施形態では、計器は、植え込み可能な制限装置の充電状態を示すように構成されうる。
【００１１】
さらなる例示的な実施形態では、動的運動器具が、駆動ギアに連結された釣合いおもり（counterweight）であって、動的運動器具が患者の動きに応答して回転されるとピボット点の周りで自由に回転するように構成された、釣合いおもりを含むことができる。動的運動器具は、発電機であって、植え込み可能な制限装置に電力を供給するために、駆動ギアから機械的エネルギーを受け取り、その機械的エネルギーを電気エネルギーに転換するように構成された、発電機も含むことができる。
【００１２】
一実施形態では、動的運動器具が、植え込み可能な制限装置に電力を供給するために患者体内の内部筋肉および／もしくは器官の動きを、電気エネルギーに転換するように構成された、圧電性装置を含むことができる。圧電性装置は、植え込み可能な制限装置に電力を供給するために胃バンドに対する患者の胃の消化運動を電気エネルギーに転換するように構成されることもできる。
【００１３】
植え込み可能な制限装置に電力を供給する方法も提供される。一実施形態では、この方法は、植え込み可能な制限装置の内部に配された連絡部材まで、組織を通して光を運ぶように光源を作動させることを含みうる。連絡部材は、植え込み可能な制限装置に電力を供給するために光を電流に転換することができる。光源は、外部装置上にあってよく、この方法は、皮膚表面に隣接して、かつ組織内に植え込まれた連絡部材の近くに、外部装置を位置付けることをさらに含みうる。外部装置は、オプションとして、計器も含むことができ、計器は、光源と連絡部材との間で運ばれた光が、植え込み可能な制限装置に電力を供給するのに効果的であるかどうかを示す。加えて、外部装置は、植え込み可能な制限装置内の流体の圧力の少なくとも１つの測定値を含むデータを連絡部材から受信することができる。例示的な実施形態では、光源は、約０．７０μｍ〜１，０００μｍの範囲の波長で赤外線光を放射する。代わりに、光源は、約４００ｎｍ〜７５０ｎｍの範囲の波長で可視光を、または約２８０ｎｍ〜４００ｎｍの範囲の波長で紫外線光を、放射する。
【００１４】
別の実施形態では、植え込み可能な制限装置に電力を供給する方法が提供され、この方法は、患者に植え込まれた植え込み可能な制限装置の内部に配された連絡部材に隣接した組織表面上に温度供給源を置くことを含む。連絡部材は、温度差動を利用して植え込み可能な制限装置に電力を供給する。連絡部材は、外部環境と身体中心部との間の温度勾配中に存在するように、皮膚に近づけて置かれうる。代わりに、身体が血流を用いて、身体へ、かつ身体から熱を運搬するので、サーモジェネレーターが、大きな血管と接触して置かれることができる。ゆえに、身体に存在する自然な温度勾配が、電力を発生させるために用いられうる。温度供給源は、外部装置上にあってよく、外部装置は、連絡部材からデータを受信することができる。外部装置は、計器も含むことができ、計器は、温度供給源と、植え込み可能な制限装置に電力を供給するのに効果的な連絡部材と、の間に温度差動が存在するかどうかを示す。データは、植え込み可能な制限装置内の流体の圧力の少なくとも１つの測定値を含みうる。一実施形態では、温度供給源は、植え込み可能な制限装置に電力を供給するように電流を生じさせるため、サーモジェネレーター全域で解剖学的基準温度との温度差動を作り出す、サーモジェネレーターに隣接する組織表面上またはその近くに置かれた、氷、熱電冷却器、および／もしくは加熱源であってよい。
【００１５】
さらに別の実施形態では、植え込み可能な制限装置に電力を供給する方法が提供され、この方法は、植え込み可能な制限装置に電力を供給するために患者に植え込まれた植え込み可能な制限装置に連結された連絡部材を駆動させることを含み、連絡部材は、動的運動器具を含む。動的運動器具は、金属ワイヤ、および磁石を含んでよく、金属ワイヤ、および磁石により作り出された磁場が、互いに対して動き、それによって、電気エネルギーを発生させて植え込み可能な制限装置に電力を供給する。例示的な実施形態では、金属ワイヤおよび磁場は、患者による運動に応答して互いに対して動く。動的運動器具は、磁石において共振する発振を誘発する、外部発振電磁石により駆動されてもよい。代わりに、動的運動器具は、振動要素により駆動され、この振動要素により、金属ワイヤは、磁場中を移動する。別の実施形態では、連絡部材は、連絡部材からデータを受信する外部装置と連絡していてよく、外部装置は、植え込み可能な制限装置の充電状態を示す計器を含みうる。動的運動器具は、代わりに、患者の動きに応答してピボット点の周りで自由に回転する、駆動ギアに連結された釣合いおもりを含むことができる。釣合いおもりおよび駆動ギアの回転は、機械的エネルギーを発生させることができ、この機械的エネルギーは、電気エネルギーに転換されて植え込み可能な制限装置に電力を供給する。例示的な一実施形態では、動的運動器具は、圧電性装置を含み、圧電性装置は、患者体内の内部筋肉および／もしくは器官の動きをエネルギーに転換して植え込み可能な制限装置に電力を供給する。圧電性装置は、植え込み可能な制限装置に電力を供給するために、胃バンドに対する胃の消化運動を電気エネルギーに転換することもできる。この方法は、動的運動器具により発生させられた過剰のエネルギーを蓄積装置に蓄積することも含みうる。
【００１６】
本発明は、添付の図面と共に理解される、以下の詳細な説明により、一層十分に理解されるであろう。
【００１７】
〔発明の詳細な説明〕
本明細書に開示される装置および方法の構造、機能、製造、使用の原理の包括的理解を提供するために、ある例示的な実施形態を説明する。これらの実施形態のうちの１つ以上の例が、添付の図面に例示されている。当業者は、本明細書で特に説明され添付の図面に例示された装置および方法が、非限定的な例示的実施形態であること、ならびに、本発明の範囲が、特許請求の範囲によってのみ定められることを理解するであろう。例示的な一実施形態と関連して例示されるか、または説明された特徴は、他の実施形態の特徴と組み合わせられてよい。このような改変および変更は、本発明の範囲に含まれることが意図されている。
【００１８】
外部供給源からのエネルギーを、組織を通して、患者に植え込まれた連絡部材まで運ぶための、様々な電力供給装置（powering devices）が提供される。連絡部材まで運ばれるエネルギーは、患者の体内の経路に制限部を形成するために植え込まれた植え込み可能な制限装置に電力を供給するのに用いられうる。本明細書に開示される本発明は、当技術分野で既知の様々な植え込み可能な制限装置と共に用いられることができるが、図１は、食物摂取量制限システム１０の例示的な一実施形態を示している。図示のように、システム１０は、概して、調節可能な胃バンド２０を含み、この胃バンド２０は、患者の胃４０の上方部分の周りに位置付けられるように構成されている。加えて、システム１０は、以下に説明するように、システム１０内でいくつかのタスクを行うように構成された様々な装置に電力を供給することができる、連絡部材を含むことができる。
【００１９】
連絡部材は、システム１０のどこにでも位置することができ、例えば、一実施形態では、連絡部材は、図１に示される注入ポート３０の中に配されてよい。注入ポート３０は、バンドにより与えられる制限量を変えるように流体をバンド内に導入し、またバンドから除去するために、胃バンドと流体連通していてよい。代わりに、または加えて、連絡部材は、様々な構成要素を収容することができるハウジング６０の中に配されうる。例示された実施形態では、システム１０は、注入ポート３０、およびハウジング６０の双方を含む。注入ポート３０およびハウジング６０双方は、例えばカテーテル５０によって、調節可能な胃バンド２０に連結されている。当業者は、システムが注入ポートおよび／もしくはハウジングを含む必要がないこと、ならびに、連絡部材がシステム１０に沿ってどこにでも位置付けられうることを認識するであろう。
【００２０】
例示的な実施形態では、連絡部材は、システム１０内の装置に電力を供給するために外部供給源から受け取られたエネルギーを転換することができ、そのシステム１０内の装置は、システム１０の様々な状態を測定および／もしくは監視し、胃バンド２０および／もしくはシステム１０の他の態様に対して調節を行い、かつ／または様々な生理学的パラメータを測定／監視する。そのような装置は、例えば、センサ、ポンプ、バンド、ならびに／または、電力を必要とする回路構成を有するあらゆる他の監視装置および／もしくは調節装置を含みうる。連絡部材は、外部供給源から反復してエネルギーを受け取り、そのエネルギーを電力に転換し、かつ、システム１０内の装置により後で使用されるために、コンデンサー、バッテリ、もしくは当技術分野で既知の他の電力蓄積装置にその電力を蓄積するように構成されてよい。代わりに、連絡部材は、必要に応じて、転換された電力を直接装置に運ぶように構成されてもよい。加えて、連絡部材は、外部供給源にデータを送信し、かつ外部供給源からデータを受信するように構成されうる。例えば、連絡部材は、システム１０への電力供給に関連する外部供給源から命令信号を受信することができる。連絡部材は、患者の身体内部で得られた様々な解剖学的測定値を外部装置もしくは読み取り器に送信し、かつシステム１０の充電状態に関する情報を送信することもできる。
【００２１】
連絡部材は、当技術分野で既知のあらゆる形をとることができ、連絡部材の様々な実施形態が以下に詳細に与えられる。ある例示的な実施形態では、連絡部材は、システム１０の様々なパラメータを測定および監視するための、外部供給源からエネルギーを受け取ることができるセンサ；適切なカウンタポイズを備えたダイポールアンテナ、モノポールアンテナなどのアンテナ、もしくは組織を通してエネルギーを受け取ることができる誘導コイル；ならびに／あるいはシステム１０および／もしくはシステム１０に関連する他の生理学的パラメータの電力供給、測定、監視および／または調節を助けることができる、当技術分野で既知のあらゆる他の装置の形をとることができる。
【００２２】
図２に示される例示的な一実施形態では、連絡部材は、光波２１６を外部器具２００から受け取るように構成された、光起電性電池配列もしくは太陽電池２１０の形である。外部エネルギー器具２００は、光波２１６を発生させる光源を含むことができる。光源は、当技術分野で既知の多くの方法で構成されうるが、例示された実施形態では、電気ケーブル２４０により電気コンセントもしくはバッテリなどの電源２３０に電気接続された、ハンドヘルド型外部装置２２０の形である。外部装置２２０は、スイッチ２５０も含んでよく、スイッチ２５０により、使用者が必要に応じて外部装置２２０を作動させるか、または止めることができる。外部装置２２０が「オン」位置にある場合、外部装置は、約０．７０μｍ〜１，０００μｍの赤外線領域の光波２１６を発生させるように構成されることができる。代わりに、または加えて、外部装置２２０は、約４００ｎｍ〜７５０ｎｍの可視領域の光波２１６、もしくは約２５０ｎｍ〜４００ｎｍの紫外線領域の光波２１６を発生させるように構成されることもできる。図２には図示されていないが、外部装置２２０は、計器であって、外部装置２２０と、植え込み可能な制限装置に電力供給および／もしくは充電するのに効果的な太陽電池２１０と、の間で光波２１６が伝えられているかどうかを示すのに効果的な、計器も含んでよい。計器により与えられる表示は、ＬＥＤなどの光、可聴ノイズ、および／もしくは振動を含む、当技術分野で既知のあらゆる通知手段の形をとることができる。代わりに、シリコンナノワイヤが、低電力センサ装置に電力を供給する規模で（on the scale to power low power sensor devices）、光エネルギーを電気エネルギーに転換することができる。
【００２３】
例示的な実施形態では、使用中、太陽電池２１０は、組織表面の下、例えば、患者の腹部もしくは筋膜層（fascia layer）に植え込まれることができる。使用者は、植え込まれた太陽電池２１０の近くに外部装置２２０を位置付けて、患者の皮膚表面の近くに植え込まれた太陽電池２１０の表面に光波２１６を向けることができる。太陽電池２１０は、光波２１６を受け取り吸収し、当技術分野で周知の方法を用いて光波２１６を電力に転換し、また、植え込み可能な制限装置により後で使用されるために、装置、例えばコンデンサーもしくはバッテリにその電力を蓄積することができる。代わりに、太陽電池２１０は、胃バンドを監視および／もしくは調節するか、または前述したような他のタスクを実行するための植え込み可能な制限装置内の他の装置に電力を供給するように、ケーブル２６０および／もしくは無線伝送によってエネルギーをすぐに運ぶことができる。
【００２４】
図３に示される別の実施形態では、連絡部材は、電気を発生させるために温度差動を用いるように構成された、ペルティエ装置などの、熱電発電器３０６の形であってよい。外部装置は、患者の体内に植え込まれた植え込み可能な制限装置に電力を供給するように構成された、熱電気で電力供給する装置（thermoelectric powering device）３００を含むことができる。例示的な実施形態では、発電機３０６は患者の皮膚下に植え込まれてよく、体温とは異なる外部温度供給源を設けることにより、温度差動が発電機３０６全域で作り出されることができる。図示のとおり、発電機３０６は、第１の側面３０２を含み、第１の側面３０２は、患者の身体から外側を向いており、皮膚の真下に位置付けられている。発電機３０６は、第２の側面３０４も含み、第２の側面３０４は、患者の身体の内部に向いている。発電機３０６は、導線３１２を含み、導線３１２は、コンデンサーもしくはバッテリなどの蓄積装置に接続されるか、または植え込み可能な制限装置内の装置に直接接続されることができる。蓄積装置の充電レベルを観察する手段が含まれてもよい。
【００２５】
図３に示されるように、熱電気で電力供給する装置は、温度供給源３１０を含む。当業者は、温度供給源３１０が、発電機３０６の第２の側面３０４と関連する温度とは異なる温度を生じさせることができる、あらゆる装置もしくは要素であってよいことを認識するであろう。例えば、発電機３０６の第２の側面３０４の温度が人体の温度など解剖学的基準温度である場合、温度供給源３１０は、その解剖学的基準温度よりも冷たい温度の１片の氷であってよい。代わりに、発電機３０６の第１の側面３０２は、体内の大きな血管と直接して置かれてよく、これは、身体が血流を用いて、熱を身体へ、また身体から運搬するからである。自然な温度勾配が、血管と身体との間で、ゆえに、第１の側面３０２と第２の側面３０４との間で、身体内に存在し、この温度勾配は、電力を発生させるのに用いられうる。
【００２６】
例示的な実施形態では、使用中、患者もしくは医師が、植え込まれた発電機３０６の第１の側面３０２の近くで、組織表面３１６に温度供給源３１０、例えば氷、を置くと、温度差動が発電機３０６全域で作り出され、それによって発電機が電気を発生させる。患者および／もしくは医師は、植え込まれた発電機３０６の第１の側面３０２を覆う患者の皮膚エリアに、温度供給源３１０を置くことができる。温度供給源３１０は、発電機の第１の側面３０２の温度を変え、このため、電気を発生させるのに効果的な第１の側面３０２と第２の側面３０４との間の温度差ができる。別の例では、温度供給源３１０は、熱電冷却器として用いられる第２のペルティエ装置であってよく、これにより、装置の一側面は、植え込まれた発電機３０６の第２の側面３０４の温度よりもはるかに冷たくなる。そのとき、熱電冷却器は、植え込まれた発電機３０６の第１の側面３０２の近くで組織表面３１６に隣接して置かれることができ、それによって、発電機３０６全域で温度差動を作り出して電気を生じさせる。代わりに、温度供給源３１０は、植え込み可能な制限装置に接続されているか、またはその中にある、伝導性構成要素の渦電流暖房装置（eddy-current heating）であってよい。渦電流は、誘導連結外部交流電源により発生させられることができる。暖房装置は、例えば、伝導性構成要素の質量（mass）、その構成要素のサイズおよび形状、伝導性構成要素の透磁率、伝導性構成要素の抵抗率、外部電力連結周波数（external power coupling frequency）、または外部電力出力レベルなどにより、制御されてよい。例示的な一実施形態では、熱源は、組織表面の上、またはその近くに置かれた加熱パッドであってよい。発生された電気は、その後、必要に応じて、植え込み可能な制限装置内の装置により使用されてよい。
【００２７】
温度供給源３１０は、代わりに、外部装置３２０に接続されるか、または外部装置３２０内に配されてよい。外部装置３２０は、計器を含むことができ、計器は、温度供給源３１０と、植え込み可能な制限装置に充電および／もしくは電力供給するのに効果的な発電機３０６と、の間に温度差動が存在するかどうかを示す。計器により与えられる表示は、ＬＥＤなどの光、可聴ノイズおよび／もしくは振動を含む、当技術分野で既知のあらゆる通知手段の形をとってよい。温度供給源３１０が氷、もしくは電力を必要としない別の温度要素である場合、外部装置３２０は電力を供給する目的のために必要とされなくてもよい。温度供給源３１０が熱電冷却器、もしくは図３に示されるような電気供給される他の温度供給源である場合、外部装置３２０は、導線３２６により温度供給源３１０に電力を供給することができる。外部供給源３２０は、バッテリまたは他の電源を含んでよく、あるいは、ケーブル３３０により壁部電源に接続されてもよい。
【００２８】
図４は、植え込み可能な制限装置に電力を供給するように構成された動的運動器具４００の形をした、連絡部材の別の実施形態を示す。例示的な一実施形態では、図示のとおり、動的運動器具４００は、内部に配された磁石４０２を有するハウジングを含む。ハウジングは、あらゆる形状であってよく、また当技術分野で既知のあらゆる材料で作られてよいが、例示された実施形態では、ハウジングは、ガラスチューブもしくはシリンダー４０４の形であり、シリンダー４０４は、このシリンダー４０４の外面の周りできつく輪に巻かれた金属ワイヤもしくは銅線４１０を有する。この構成では、動的運動器具４００は、シリンダー４０４内部に収容された磁石４０２の動きにより、銅線４０６において電気を発生させることができる。当業者には認識されるであろうが、シリンダー４０４内での磁石４０２の動きにより、効果的なことに、銅線４１０が磁場中を移動し、それによって電気を発生させる。銅線４１０に連結された導線４０８が、動的運動器具４０６により発生された電気を、必要に応じて、蓄積装置、または直接植え込み可能な制限装置内の装置に運ぶために設けられる。蓄積装置の充電レベルを監視する手段も含められてよい。
【００２９】
多くの構成が可能であるが、例示的な一実施形態では、動的運動器具４００は、患者の体内に植え込まれてよく、身体の物理的な動きが、シリンダー４０４内の磁石４０２を動かすのに効果的となる。例えば、患者は、あらゆる動き、例えばウォーキング、ランニング、ジャンプ、身震い（shaking）などを行うことができ、このことにより、磁石４０２はシリンダー４０４内で側方に、回転して、またはそれらのあらゆる組み合わせで動いて、銅線４０６内に電気を発生させる。別の例では、動的運動器具４００は、患者の身体内に植え込まれてよく、体内の、よりとらえにくい、しかし予測可能な物理的な動きが、磁石４０２をシリンダー４０４内で動かすのに効果的となる。利用されうる患者体内での内部の動きの例は、呼吸に関連する運動（例えば、横隔膜の運動）、消化（例えば、胃腸管の任意の部分を通る蠕動性の波）、および／もしくは循環系内部の発振運動（例えば、動脈系における拍動性の流れ、心臓の運動など）を含むが、これらに限定されない。
【００３０】
代わりに、または加えて、動的運動器具４００は、外部ドライバを含むことができる。図４に示される実施形態では、外部ドライバは、外部電磁石４２０を形成するように、動的運動器具４００と同じ要素、すなわち、ハウジング４１４、磁石４１２、および銅線４１６で構成される。外部電磁石４２０は、磁石４１２を発振させるように銅線４１６に電気を供給することにより、手動で駆動されうる。磁石４１２が発振すると、動的運動器具４００内に配された磁石４０２において共振する発振が誘発され、それによって、電気が発生され、植え込み可能な制限装置に電力を供給する。当業者は、動的運動器具４００内部の磁石４０２における発振、振動、もしくは他の運動を生じさせるのに効果的な、内部もしくは外部のあらゆるドライバもしくは振動要素が、電力を発生させるのに用いられてよいことを認識するであろう。付加的な１つの代替手段は、呼吸など自然で定期的に生じる事象により作り出される、圧力における振動勾配（oscillatory gradients）を、磁石４０２の振動並進運動および／もしくは回転運動を誘発する流体の流れに転換することを含みうる。さらに、動的運動器具４００は、これらの運動により生じる運動勾配もしくは圧力勾配によってエネルギーが発生される、様々な他の構成を有しうる。
【００３１】
図４には示されていないが、外部装置は、外部ドライバと連絡するように設けられてもよく、外部装置は、バッテリもしくは他の電源から取り去られた外部ドライバに電力を与えることができる。外部ドライバは、計器も含んでよく、計器は、連絡部材の充電状態、および／もしくは外部ドライバと動的運動器具４００との間に適切な整列があるかどうか、を示す。例えば、計器は、植え込み可能な制限装置内部の回路構成および／もしくは装置が、動的運動器具４００により充電される必要があるかどうか、またはそれら回路構成およびもしくは装置が十分に充電されているかどうか、を示すことができる。代わりに、もしくは加えて、計器は、動的運動器具４００内部で、共振する発振を発生させようとしている外部ドライバの適切な整列を示すことができる。計器により与えられる表示は、ＬＥＤなどの光、可聴ノイズ、および／もしくは振動を含む、当技術分野で既知のあらゆる通知手段の形をとることができる。
【００３２】
別の例示的な実施形態では、植え込み可能な制限装置に電力を供給するために、運動をエネルギーに転換させるように動作可能な、動的運動器具が提供される。図５に示される一実施形態では、動的運動器具５００が設けられ、この動的運動器具５００は、シャフト５０４に連結された釣合いおもり５０２を含むことができ、釣合いおもり５０２は、患者の運動および動きに応答してシャフト５０４の周りで自由に旋回することができる。釣合いおもり５０２およびシャフト５０４は、ステンレス鋼、チタン、コバルトクロム、およびいくつかのポリマープラスチックを含む、当技術分野で既知のあらゆる生体適合性材料から形成されてよい。駆動ギア５０６が、釣合いおもり５０２の中空部分内に入れ子状に収まっていてよく、一実施形態では、駆動ギア５０６は、釣合いおもり５０２に直接連結されていてよく、駆動ギア５０６は、釣合いおもり５０２の動きに応答して動くようになっている。駆動ギア５０６は、発電機５１０の動力伝達系路（drive train）に連結されてもよい。駆動ギア５０６が釣合いおもり５０２に応答して動くと、駆動ギアは、ピニオンギア５０８を回転させ、ピニオンギアが、今度は回転子５１４を高速まで回転させる。この回転により、その後、固定子５１６を通る電流が誘発され、それによってコンデンサー５１２が充電される。こうして、発電機５１０は、釣合いおもり５０３の動きからの機械的エネルギーを電気エネルギーに転換する。
【００３３】
発電機５１０により生じた電気エネルギーは、植え込み可能な制限装置に直接電力を供給するのに用いられてよく、あるいは、後で使用するために蓄積要素５１２の中に蓄積されてもよい。例示的な実施形態では、蓄積要素５１２は、リチウムイオンを含むコンデンサーであってよく、このコンデンサーは、他の物質から典型的に作られたコンデンサーよりも長くエネルギーを蓄積することができる有効な伝導表面をもたらす。別の実施形態では、蓄積要素５１２は、高密度ウルトラキャパシターであってよい。当業者は、患者の動きを発電機に結びつけるのに伝動装置のあらゆる組み合わせが用いられてよいこと、および、電荷（charge）を蓄積するのにあらゆるタイプの蓄積要素５１２が用いられてよいこと、を認識するであろう。
【００３４】
図６に示される別の実施形態では、動的運動器具６００は、胃バンド６０４の流体を押している胃６０２の運動がエネルギーに転換されて、再充電可能なバッテリ、または電荷を蓄積する蓄積要素６０６に電力を供給するように、設けられている。食物がバンド６０４を通過すると、圧力が胃バンド６０４において増大し、減少するであろう。この振動エネルギーは、電磁石転換、静電転換、もしくは圧電性転換など、当技術分野で既知の様々な異なる方法により集められることができる。圧電性（圧電（piezo））方法では、圧電性材料をベースとしたバイモルフが振動し、圧電性材料のサイズおよび形状、周期性、ならびに力の量に比例する振幅で電圧を発生させる電荷を作り出す。ゆえに、動的運動器具６００は、胃バンド６０４に取り付けられた圧電性トランスデューサー要素６１２を含んでよく、この圧電性トランスデューサー要素６１２は、バンドの動きの転置および周期性に比例する電力を生じさせることができる。このエネルギーは、その後、植え込み可能な制限装置が必要とするまで、蓄積要素６０６に蓄積されてよい。当業者は、同様の用途が、胃バンドに取り付けられた電気活性ポリマー要素（electro-active polymer elements）で作られてもよいことを認識するであろう。
【００３５】
本明細書に開示される内部装置は、１回使用する装置となるよう設計されている。本明細書に開示される外部装置は、１回使用した後で廃棄されるように設計されてよく、あるいは、複数回使用されるように設計されてよい。しかしながら、いずれの場合も、装置は、少なくとも１回使用した後で再利用のために再調整されることができる。再調整は、装置の分解ステップ、それに続く、特定の部品の洗浄もしくは取替ステップ、および、その後の再組み立てステップのあらゆる組み合わせを含みうる。特に、装置は、分解されることができ、任意の数の、装置の特定の部品または部分が、あらゆる組み合わせで選択的に取り替えられるか、または取り外されることができる。特定の部分が洗浄され、かつ／もしくは取り替えられると、装置は、再調整施設で、または外科処置の直前に外科チームによって、その後の使用のため、再組み立てされうる。当業者は、装置の再調整は、分解、洗浄／取替、および再組み立てのための様々な技法を用いてよいことを認識するであろう。このような技法を使用すること、および結果として得られる再調整された装置はすべて、本出願の範囲内である。本明細書に開示される植え込み可能な装置は、１回の患者使用のために設計されている。
【００３６】
当業者は、前述した実施形態に基づいて、本発明のさらなる特徴および利点を認識するであろう。したがって、本発明は、特許請求の範囲により示されるものを除いて、特に図示され説明されたことにより限定されるものではない。本明細書で言及されたすべての刊行物および参考文献は、参照することにより全体として本明細書に明白に組み込まれる。
【００３７】
〔実施の態様〕
（１）  患者に制限部を形成するシステムにおいて、
患者に制限部を形成するように構成された植え込み可能な制限装置であって、前記植え込み可能な制限装置は、光波を受け取るように、かつ前記光波を、前記植え込み可能な制限装置に電力を供給するエネルギーに転換するように、構成された、連絡部材を含む、植え込み可能な制限装置、
を含む、システム。
（２）  実施態様１に記載のシステムにおいて、
前記光波を前記連絡部材に伝えるように動作可能な光源を有する、外部エネルギー移送器具、
をさらに含む、システム。
（３）  実施態様２に記載のシステムにおいて、
前記外部エネルギー移送器具は、計器（gauge）であって、前記光源と、前記植え込み可能な制限装置に電力を供給するのに効果的な前記連絡部材と、の間で前記光波が伝えられているかどうかを示すのに効果的である、計器を含む、システム。
（４）  実施態様１に記載のシステムにおいて、
前記連絡部材は、光起電性電池配列（photovoltaic cell array）、もしくはシリコンナノワイヤの束を含む、システム。
（５）  実施態様１に記載のシステムにおいて、
前記連絡部材は、結晶性シリコーン電池配列を含む、システム。
（６）  実施態様２に記載のシステムにおいて、
前記光源は、約０．７５μｍ〜１，０００μｍの範囲の赤外線光波、約４００ｎｍ〜７５０ｎｍの範囲の可視光波、および約２８０ｎｍ〜４００ｎｍの範囲の紫外線光波から成る群から選択される光を放射する、システム。
（７）  実施態様１に記載のシステムにおいて、
前記植え込み可能な制限装置は、胃バンド、および前記胃バンドと連絡しているハウジングを含む、システム。
（８）  実施態様７に記載のシステムにおいて、
前記連絡部材は、前記ハウジングの中に配されている、システム。
（９）  実施態様１に記載のシステムにおいて、
前記連絡部材は、データを受信および送信するように構成されている、システム。
【００３８】
（１０）  植え込み可能な制限装置に電力を供給する方法において、
経路に制限部を形成するように患者に植え込まれた植え込み可能な制限装置の内部に配された連絡部材まで、組織を通して光を運ぶように光源を作動させることであって、前記連絡部材は、前記植え込み可能な制限装置に電力を供給するために前記光を電力もしくはエネルギーに転換する、光源を作動させること、
を含む、方法。
（１１）  実施態様１０に記載の方法において、
前記光源は、外部装置上にあり、
前記方法は、
皮膚表面に隣接して、かつ前記組織内に植え込まれた前記連絡部材の近くに、前記外部装置を位置付けること、
をさらに含む、方法。
（１２）  実施態様１０に記載の方法において、
前記連絡部材は、光起電性電池配列、もしくはシリコンナノワイヤの束を含む、方法。
（１３）  実施態様８に記載の方法において、
前記連絡部材は、結晶性シリコーン電池配列を含む、方法。
（１４）  実施態様１１に記載の方法において、
前記外部装置は、前記連絡部材からデータを受信し、
前記データは、前記植え込み可能な制限装置内部の流体の圧力の少なくとも１つの測定値を含む、方法。
（１５）  実施態様１１に記載の方法において、
前記外部装置は、計器を含み、前記計器は、前記光源と前記連絡部材との間で運ばれている前記光が、前記植え込み可能な制限装置に電力を供給するのに効果的であるかどうかを示す、方法。
（１６）  実施態様１０に記載の方法において、
前記光源は、約０．７０μｍ〜１，０００μｍの範囲の波長の赤外線光、約４００ｎｍ〜７５０ｎｍの範囲の波長の可視光、および約２８０ｎｍ〜４００ｎｍの範囲の波長の紫外線光から成る群から選択された光を放射する、方法。
（１７）  実施態様１０に記載の方法において、
前記植え込み可能な制限装置は、制限部を形成するように胃の周りに配された胃バンド、および前記胃バンドと連絡しているハウジングを含む、方法。
【図面の簡単な説明】
【００３９】
【図１】患者の胃に制限部を形成するように患者に植え込まれた食物摂取量制限システムの描写である。
【図２】図１の食物摂取量制限システムに電力を供給するための、光で電力供給する装置（light powering device）の描写である。
【図３】図１の食物摂取量制限システムに電力を供給するための、熱電気で電力供給する装置の描写である。
【図４】図１の食物摂取量制限システムに電力を供給するための、動的運動で電力供給する装置の一実施形態の描写である。
【図５】図１の食物摂取量制限システムに電力を供給するための、動的運動で電力供給する装置の別の実施形態の描写である。
【図６】図１の食物摂取量制限システムに電力を供給するための、動的運動で電力供給する装置のさらに別の実施形態の描写である。
【図１】
2009183711.tif 000003
【図２】
2009183711.tif 000004
【図３】
2009183711.tif 000005
【図４】
2009183711.tif 000006
【図５】
2009183711.tif 000007
【図６】
2009183711.tif 000008
【外国語明細書】
2009183711000001.pdf